(57)【要約】【課題】  古来より考案されてきた永久機関では、エネルギー保存の法則等により永久運動を行うことはなく、まして、エネルギーを生じさせるということは皆無であった。【解決手段】  本発明は、永久磁石同士により発生する磁力エネルギーの一部を運動エネルギーに変換し、この運動エネルギーを増幅、蓄積し、それを短時間で消費させることによって、再度磁力エネルギーに変換させ様というものであって、これを永久に繰り返すことにより、これら異なるエネルギーの差を外部へ供給することができる。従って、この装置はエネルギー保存の法則等に抵触することはなく、古来より言われている永久機関とは異なる。【選択図】図１
2007259684.tif 000002
【特許請求の範囲】
【請求項１】
磁力が強い磁石から弱い磁石へ１列に並べた複数の永久磁石を１セットとし、それを回転体に取り付け、回転体の回転方向と直角方向のみ往復運動を行うことができるピストンに単体の永久磁石を、それぞれ同極が向き合うように設置した装置。
【請求項２】
磁石の同極同士による反発力エネルギーを増幅させ、その力をピストンへ伝達し、再度、磁石の同極同士による反発力エネルギーを生じさせる。これらのことを繰り返す装置。
【発明の詳細な説明】
【技術分野】
【０００１】  本発明は、エネルギー発生装置に関するものであり、永久磁石の反発力と重力及びバネの力を利用することによって、エネルギーを永久的に発生させようとするものである。
【背景技術】
【０００２】  現在、エネルギーを生み出すには、化石燃料による内燃機関、原子核分裂を利用する原子力発電等が主流である。これらのシステムは、地球温暖化・化石燃料の枯渇・放射能汚染等、様々な問題を抱えており、石油や原子力に代わるクリーンで環境にやさしい安全なエネルギーの開発が模索されているところである。古来より、安価なエネルギーを生み出す夢の機関として永久機関が考案されてきた。だが、その殆どが一瞬で動きが止まり、エネルギーを生み出すことは無かった。その技術開発模索の例として、特許文献１や、非特許文献１に開示された永久磁石モーターがある。【０００３】
【特許文献１】米国特許第４，１７９，６３３号
【非特許文献１】Ｄ．ケリー著（井原宇玉、井原真人、唐沢宏之共訳）、「フリーエネルギー技術開発の動向」、技術出版、１９９５年２月１０日発行、Ｐ１９６〜Ｐ２０１
【発明の開示】
【発明が解決しようとする課題】
【０００４】  特許文献１、非特許文献１等に開示されている永久磁石モーターでは、永久磁石の吸引や反発する力を利用し、エネルギーを発生させようとしているものの、これらの永久磁石モーターでは、作用・反作用の原理により一瞬の動きのみで、永久に駆動し続け、エネルギーを発生させるまでには至らなかった。【０００５】  本発明は、このような従来の装置が有していた問題を解決しようとするものであり、永久磁石が有する反発力と重力及びバネの力を利用し、回転体を永久に回転させ、それをエネルギーに変換させようとする装置である。
【課題を解決するための手段】
【０００６】  この課題を解決するための請求項１の発明は、回転体に磁力の強弱をつけたことを特徴とする複数の永久磁石を１セットとし、回転体の回転する方向に対して直角方向へ往復運動をするピストンには単体の永久磁石を、それぞれ同極が向き合うように設置する。そのことにより磁力による反発力が生じ、回転体を回転させることができる。【０００７】  また、請求事項２の発明は、回転体の円周部より内側に歯車を取り付ける。そのことにより、歯車の位置では円周部の反発力より増幅した力を生じさせることができ、その力を利用し、磁力が大きく変化する手前で単体の磁石を取り付けたピストンをジャンプさせる。その繰り返しにより、回転体は永久に回転し続けることができる。
【発明の効果】
【０００８】  本発明により、従来の装置の様に駆動部が一瞬で止まることはなく、同一運動を繰り返すことで、永久に回転をし続け、安全でクリーンなエネルギーを無尽蔵に供給することができる。
【発明を実施するための最良の形態】
【０００９】  図１は、磁力に強弱をつけたことを特徴とする複数の永久磁石を１セットにした磁石と、回転体の回転方向と直角にのみ往復運動をするピストンに単体の磁石を、同極同士が向き合うように設置した図である。ピストンを特定の位置で上下させた場合、１セットにした複数の磁石は磁石同士の反発力のため左へ動く。【００１０】  図２は、磁石による反発力＝回転力を回転体の内側に設置した歯車で増幅させる装置である。この増幅した力を利用することにより、単体の永久磁石を取り付けたピストンを容易にジャンプさせることが可能になる。磁力の影響が極端に変化する前に移動させることにより、これらのことを繰り返すことができ、回転体は永久に回転する。【００１１】  図３は、歯車により増幅された回転力をバネで蓄え、その力を短時間にピストンへ伝達させる装置である。歯車１３、１４により、シャフトは右へ移動する。その時バネは縮み力を蓄えることになる。シャフトが右へ移動し終わる時、歯車１４の部分が切れ、バネの復元力によりシャフトは短時間で左へ移動する。左へ移動する際、シャフトの位置をカムにより少し上げギヤと接触するようにする。シャフトが左へ移動すると同時にギヤも半回転する。左側へ戻り終えるとシャフトを少し下げ、これを繰り返す。【００１２】  図４は、同極同士の反発力を、回転体から歯車、シャフト、ギヤ、回転軸、円板、ピストンへと力を伝えていく図である。ギヤが、バネの力により短時間で半回転する。その時円板に取り付けてあるピストンも上方向に行き、回転が終わるとシャフトを下げることによりフリーな状態になり重力の作用でピストンは下降する。【００１３】  図５は、ピストンをジャンプさせる時のイメージ図で、この様に磁力の一番強い磁石の手前でピストンをジャンプさせることにより、ピストンは２〜４の磁石の位置に移動し、下の磁石は左へ移動する。これを繰り返すことにより、下の磁石は永久に左へ移動する。
【産業上の利用可能性】
【００１４】  本発明に係る永久磁石エネルギー発生装置は、工業的に量産する事が可能であり、一度作動すれば半永久的に作動し続けるため、産業上の利用可能性を有する。
【図面の簡単な説明】
【００１５】
【図１】  本装置を正面から見た回転体とピストンの図である。
【図２】  本装置を上から見た回転体、ピストン及び歯車の図である。
【図３】  増幅された回転体の回転力をピストンへ伝達する装置の図である。
【図４】  歯車、シャフト、ギヤ、ピストン等の相関図である。
【図５】  ピストンをジャンプさせる時のイメージ図である。
【符号の説明】
【００１６】１〜１０  磁力が大きい磁石〜磁力が小さい磁石
１１      単体の磁石
１２      回転体本体
１３      回転体から生じたモーメント力を増幅する歯車
１４      歯車の歯の部分
１５      回転体の回転方向と直角方向に運動するピストン
１６      回転体の中心軸
１７      バネ
１８      シャフト
１９      ギヤ
２０      円板
２１      錘
２２      支柱
２３      回転軸
２４      カム
【図１】
2007259684.tif 000003
【図２】
2007259684.tif 000004
【図３】
2007259684.tif 000005
【図４】
2007259684.tif 000006
【図５】
2007259684.tif 000007